(57)【要約】【課題】  簡略な構造をもって、ワークが確実にクランプされ得ると共に、異物等によって装置の作動が阻害される恐れのないクランプ装置を提供すること。【解決手段】  クランプ部材１２を、クランプ半体１２ａ，１２ｂの二つに分割して、それらクランプ半体１２ａ，１２ｂの対向する辺部の間隙の全体を埋めるように、ゴム弾性体１４を固着せしめて、クランプ半体１２ａ，１２ｂを弾性的に連結すると共に、その中央部に貫通孔１８を設け、該貫通孔１８の内面を、基台に取り付けられる側とは反対側において、外方に向かって拡径するテーパ受け面２０とし、かかる貫通孔１８に、頭部２２の外周面が、軸方向下方に向かうに従って縮径されたテーパ嵌合面２６とされた、皿ネジ形状を呈している締付ボルト１６を挿通せしめて、クランプ装置１０を構成した。【選択図】          図  １
2006142389.tif 000002
【特許請求の範囲】
【請求項１】
中央部に貫通孔を有し且つ該貫通孔の周りに位置せしめられた複数の分割体にて構成されるクランプ部材と、該クランプ部材の貫通孔に装入され、該クランプ部材を支持する支持ベースへの螺入によって、該クランプ部材を固定せしめるネジ部材とを含み、該クランプ部材の貫通孔と該ネジ部材との間に設けられたテーパ嵌合機構により、該ネジ部材が螺入されたときに、該クランプ部材を拡開し、前記分割体に側方への押圧力が作用するようにしたクランプ装置において、
前記クランプ部材を構成する複数の分割体を、その周方向における相互の対向部位間に介装されて、それら対向部位に固着せしめられたゴム弾性体乃至はエラストマによって、一体的に連結せしめると共に、それら複数の分割体を、該クランプ部材の前記貫通孔の径方向外方に弾性的に移動可能としたことを特徴とするクランプ装置。
【請求項２】
前記ゴム弾性体乃至はエラストマが、前記複数の分割体の相互の対向部位間において、少なくとも前記支持ベースとは反対側に位置する間隙の全体を埋めるようにして、それら対向部位に固着せしめられている請求項１に記載のクランプ装置。
【請求項３】
前記クランプ部材が、二つの分割体によって構成され、且つ全体として多角形の平面形態を呈するように、該多角形形状の対向する辺部の中央部に位置する部位において、それら二つの分割体が前記ゴム弾性体乃至はエラストマにて連結されている請求項１または請求項２に記載のクランプ装置。
【請求項４】
前記クランプ部材の貫通孔の内面が、前記支持ベースとは反対側において外方に向って拡径するテーパ受け面とされている一方、前記ネジ部材の頭部に、該テーパ受け面に対応したテーパ嵌入面が形成され、それらテーパ受け面とテーパ嵌入面とによって、前記テーパ嵌合機構が構成されている請求項１乃至請求項３の何れかに記載のクランプ装置。
【請求項５】
前記クランプ部材の貫通孔の内面が、前記支持ベースとは反対側において外方に向って拡径するテーパ受け面とされている一方、前記ネジ部材が遊挿されて、該ネジ部材の螺入につれて前記クランプ部材の貫通孔内に進入せしめられるリング部材の外周面に、前記テーパ受け面に対応したテーパ嵌入面が形成され、それらテーパ受け面とテーパ嵌入面とによって、前記テーパ嵌合機構が構成されている請求項１乃至請求項３の何れかに記載のクランプ装置。
【発明の詳細な説明】
【技術分野】
【０００１】
本発明は、クランプ装置に係り、特に、工作機械の基台（テーブル）に対して所定のワーク（被加工物）をクランプして、保持せしめるためのクランプ装置の改良された構造に関するものである。
【背景技術】
【０００２】
従来から、工作機械の基台に対してワークを保持せしめる際には、各種のバイスやクランプ装置等が用いられてきている。そして、そのようなクランプ装置の一つとして、例えば、特許文献１においては、クランプ部材に設けられた段付きの貫通孔（ザグリ孔）に、本体部材や基台、或いは基台に形成されたＴ溝内に移動可能に配置されるＴナット等に設けられたネジ穴に螺合されるネジ部材を挿通し、かかるネジ部材の頭部を、ネジ部材の軸に対して直角な横方向へ偏位した中心をもつように構成したクランプ装置が、明らかにされている。そのようなクランプ装置にあっては、該ネジ部材の回転に伴って、かかる偏心した頭部が貫通孔内でカム作用運動し、クランプ部材の貫通孔の内周面をネジ部材の頭部の外周面にて押圧する偏心嵌合を行なうことによって、クランプ部材に横方向への押圧力が作用するようにして、かかる押圧力によって、クランプ部材と所定の支持部材の間に配置された被加工物（ワーク）がクランプされ得るようになっている。
【０００３】
また、特許文献２においては、クランプ部材を二分割してなる２つのクランプ部材半体を、それらの外周面に配置したバネ材で、弾性的に連結すると共に、該２つのクランプ部材半体の対向面の略中央部位を通るように設けられた貫通孔に、前述のクランプ装置と同じく、基台等に設けられたネジ穴に螺合されるネジ部材が挿通され、更に、かかるネジ部材とクランプ部材との間に設けられたテーパ嵌合によって、該ネジ部材が螺入されたときに、該二分割されたクランプ部材半体を拡開（離間）し、クランプ部材に側方への押圧力が作用するように構成されたクランプ装置が、明らかにされている。そして、そこでは、そのようにして得られた押圧力によって、クランプ部材と所定の支持部材の間に配置されたワークが保持され得るようになっているのである。
【０００４】
従って、このような構造とされたクランプ装置にあっては、一般的な構造を有するバイス、即ち、長手形状を呈し、その長手方向に延びる案内面を有して、基台に固定されるベースと、かかるベースの長手方向の一端部に対して一体的に固設された固定ジョーと、ベースの他端部側において固定ジョーに対向して配置され、ベースの案内面による案内によって固定ジョーに対して接近／離隔移動可能とされた可動ジョーと、該可動ジョーの移動を行なわしめるスピンドルとを含み、かかるスピンドルの回転による可動ジョーの固定ジョーに対する接近移動によって、それらの間にワークを挟持して、クランプするようにしたバイスに比べて、その構造が効果的に簡略化され得るという特徴を有することとなる。
【０００５】
しかしながら、それらのクランプ装置にあっても、各種の問題が内在しており、例えば、特許文献１のものでは、偏心したネジ部材の頭部の外周面とクランプ部材の貫通孔の内周面との偏心嵌合にて、クランプ部材への押圧力を生じせしめているところから、かかるクランプ装置によってワークを保持する際に、ネジ部材の頭部を任意の位置に固定出来ないと共に、そのような偏心したネジ部材の頭部が、貫通孔内でカム作動するためには、ネジ部材の頭部の軸方向下面と、クランプ部材の段付の貫通孔の上面、或いは固定される基台の上面との間に、所定の間隙が必要となるため、そのような隙間の存在によって縦方向（ネジ部材の軸方向）の拘束力が弱くなってしまい、ワークの浮き上がりを抑制するために充分な拘束力が得られないといった問題を内在するものであった。
【０００６】
また、特許文献２に開示されたクランプ装置にあっては、二分割されたクランプ部材半体をネジ部材によって拡開して、横方向の押圧力を生じせしめて、ワークをクランプしているところから、ワークを保持している間は、それら２つのクランプ部材半体の突合せ部間に、必然的に、隙間が生じることとなる。このため、クランプしたワークを切削加工した際に発生する切削屑等の異物が、それら二分割された一方のクランプ部材半体と他方のクランプ部材半体との間の隙間に入り込むと、拡開されていた２つのクランプ部材半体間の隙間を閉じることが出来なくなり、そのために適正なストローク、換言すればクランプ部材の移動、具体的には２つのクランプ部材半体の移動を得ることが困難となる結果、ワークの着脱が出来なくなる等といった問題を生じる恐れがあった。
【０００７】
【特許文献１】特許第２８４９５９３号公報
【特許文献２】米国特許第５６４１２５７号明細書
【発明の開示】
【発明が解決しようとする課題】
【０００８】
ここにおいて、本発明は、かくの如き事情を背景にして為されたものであって、その解決課題とするところは、簡略な構造をもって、ワークが確実にクランプされ得ると共に、異物等によって装置の作動が阻害される恐れがないようにしたクランプ装置を提供することにある。
【課題を解決するための手段】
【０００９】
そして、本発明にあっては、かかる課題の解決のために、中央部に貫通孔を有し且つ該貫通孔の周りに位置せしめられた複数の分割体にて構成されるクランプ部材と、該クランプ部材の貫通孔に装入され、該クランプ部材を支持する支持ベースへの螺入によって、該クランプ部材を固定せしめるネジ部材とを含み、該クランプ部材の貫通孔と該ネジ部材との間に設けられたテーパ嵌合機構により、該ネジ部材が螺入されたときに、該クランプ部材を拡開し、前記分割体に側方への押圧力が作用するようにしたクランプ装置において、前記クランプ部材を構成する複数の分割体を、その周方向における相互の対向部位間に介装されて、それら対向部位に固着せしめられたゴム弾性体乃至はエラストマによって、一体的に連結せしめると共に、それら複数の分割体を、該クランプ部材の前記貫通孔の径方向外方に弾性的に移動可能としたことを特徴とするクランプ装置を、その要旨とするものである。
【００１０】
また、このような本発明に従うクランプ装置の望ましい態様の一つによれば、前記ゴム弾性体乃至はエラストマが、前記複数の分割体の相互の対向部位間において、少なくとも前記支持ベースとは反対側に位置する間隙の全体を埋めるようにして、それら対向部位に固着せしめられることとなる。
【００１１】
そして、本発明にあっては、前記クランプ部材が、二つの分割体によって構成され、且つ全体として多角形の平面形態を呈するように、該多角形形状の対向する辺部の中央部に位置する部位において、それら二つの分割体が前記ゴム弾性体乃至はエラストマにて連結されているクランプ装置をも、その特徴とするものである。
【００１２】
さらに、本発明に従うクランプ装置の別の望ましい態様の一つによれば、前記クランプ部材の貫通孔の内面が、前記支持ベースとは反対側において外方に向って拡径するテーパ受け面とされている一方、前記ネジ部材の頭部に、該テーパ受け面に対応したテーパ嵌入面が形成され、それらテーパ受け面とテーパ嵌入面とによって、前記テーパ嵌合機構が構成されることとなる。
【００１３】
さらにまた、本発明に従うクランプ装置の他の有利な態様の一つによれば、前記クランプ部材の貫通孔の内面が、前記支持ベースとは反対側において外方に向って拡径するテーパ受け面とされている一方、前記ネジ部材が遊挿されて、該ネジ部材の螺入につれて前記クランプ部材の貫通孔内に進入せしめられるリング部材の外周面に、前記テーパ受け面に対応したテーパ嵌入面が形成され、それらテーパ受け面とテーパ嵌入面とによって、前記テーパ嵌合機構が構成されることとなる。
【発明の効果】
【００１４】
このように、本発明に従うクランプ装置によれば、装置全体が、複数の分割体にて構成されたクランプ部材と、ネジ部材とから構成されると共に、ワークをクランプする際の動作が、該複数のクランプ部材分割体と該ネジ部材との間に設けられたテーパ嵌合機構で行なわれているところから、従来のバイス等のクランプ装置と比して、構造の簡略化と、かかるクランプ装置を基台に組み付けて、保持させるための作業性の向上が、有利に図られ得るのである。
【００１５】
また、そのようなクランプ部材（分割体）とネジ部材の間に形成されたテーパ嵌合機構によって、ネジ部材の螺入により発生するクランプ部材のワークに対する押圧力と、クランプ装置の基台に対する拘束力の両方が、効果的に生じせしめられるようになっているところから、従来のクランプ装置のように、ワークの浮き上がりが発生してしまう恐れが、効果的に解消せしめられることとなる。
【００１６】
さらに、それら複数の分割体にて構成されたクランプ部材が、ゴム弾性体乃至はエラストマによって一体的に連結されているところから、ネジ部材の螺入によって、クランプ部材分割体が拡開された際には、そのような弾性体が伸びて、クランプ部材分割体同士の連結を保つと共に、ワークのクランプが解除された際には、ワークに対して押圧されていたクランプ部材分割体が、かかる弾性体の復元力によって、ワークから離脱せしめられることとなるため、クランプ作業の作業性を、有利に向上することが可能となるのである。
【００１７】
また、本発明において、前記した間隙を埋めるゴム弾性体乃至はエラストマが、少なくともクランプ部材を支持する支持ベース（基台）とは反対側に位置する間隙の全体を埋めるようにして、クランプ部材分割体の相互の対向部間に固着せしめられているようにすれば、切削加工の際に発生する切削屑等の異物が、クランプ部材分割体同士の隙間に入ってしまうという問題が、効果的に解消され得ることとなり、以て、確実に、ワークの保持、解除動作を行なうことが出来るのである。
【００１８】
さらに、そのようなクランプ部材が、全体として多角形の平面形態を呈している２つの分割体にて構成され、それら２つの分割体の対向する辺部の中央位置において、ゴム弾性体乃至はエラストマにて連結されているようにすれば、ワークの厚みが薄い場合においても、効果的にワークを保持することが可能となる。
【００１９】
そして、かかる本発明に従うクランプ装置の望ましい態様の一つによれば、クランプ部材に設けられた貫通孔の内面が、クランプ装置の取り付けられる基台側とは反対側に向って拡径するテーパ受け面とされ、一方、ネジ部材の頭部が、該テーパ受け面に対応して、基台側に向って次第に縮径するテーパ嵌入面とされた、所謂皿ネジとされて、テーパ嵌合機構が形成されているところから、従来のクランプ装置よりも、その構造を、より簡略化することが可能となり、生産性を有利に向上せしめることが出来るのである。
【００２０】
なお、このような本発明に従うクランプ装置の別の好ましい態様の一つによれば、クランプ部材に形成されたテーパ受け面に対応した形状とされたテーパ嵌入面が外周面に形成されたリング部材がネジ部材に遊挿されて、かかるリング部材とクランプ部材との間にテーパ嵌合機構が構成されているところから、複数に分割されたクランプ部材を、それぞれ径方向外方に移動せしめて、それらクランプ部材と所定の支持部材との間でワークを固定する際に、固定されるワークの幅にばらつきがあっても、そのようなネジ部材に遊挿されたリング部材が横方向に移動することによって、そのようなばらつきが吸収せしめられることとなり、以て、それぞれのワークを確実に保持することが可能となるのである。
【発明を実施するための最良の形態】
【００２１】
以下、本発明を更に具体的に明らかにするために、本発明の実施の形態について、図面を参照しつつ、詳細に説明することとする。
【００２２】
先ず、図１および図２には、本発明に従う構造とされたクランプ装置の一実施形態が示されており、そこで、図１（ａ）には、正面形態が、また図１（ｂ）には、平面形態が、更に、図２には、図１（ｂ）におけるＡ−Ａ断面形態が、それぞれ示されている。そして、それら図１，２より明らかなように、クランプ装置１０は、クランプ部材１２を構成する２つのクランプ半体（分割体）１２ａ，１２ｂと、締付ボルト１６とを有して、構成されている。
【００２３】
より詳細には、クランプ半体１２ａ，１２ｂは、図３にも示されているように、何れも、鉄や黄銅等の所定の金属材料を用いて、矩形形状とされた平板の４つの角部のうち、２つの角部が面取りされて、略台形の平面形状を呈しており、そして、それら２つのクランプ半体１２ａ，１２ｂの面取りされていない辺部を対向させ、その対向面間に、ＮＢＲ等のゴム材質からなるゴム弾性体１４が、それらクランプ半体１２ａ，１２ｂと同一厚さ、同一幅において固着されることにより、クランプ半体１２ａ，１２ｂ同士を一体的に連結し、以て、全体として外形が略六角形状乃至は八角形形状とされた、平板状のクランプ部材１２を構成している。また、このように一体的に連結されたクランプ半体１２ａ，１２ｂの略中央部位には、平板状の厚さ方向（図３（ｂ）において上下方向）に貫通するように、貫通穴１８が設けられている。さらに、かかる貫通穴１８の内面のうち、クランプ装置１０が基台に取り付けられる方向とは反対側において、外方に向かって拡開するテーパ受け面２０が、形成されている。
【００２４】
そして、そのような貫通孔１８には、鉄等の所定の金属製の締付ボルト１６が挿通されている。かかる締付ボルト１６は、図４にも示されるように、円形の頭部２２と、基台に設けられた取付穴等に螺入せしめられる雄ネジが、その外周面に設けられている脚部２４とから、構成されている。そして、かかる円形の頭部２２の側面下部が、脚部２４側に向かうに従って次第に縮径せしめられたテーパ嵌合面２６とされて、所謂皿ネジと同様な形状とされているのである。また、かかる頭部２２には、ここでは、その上面に開口する六角孔２８が設けられており、クランプ装置１０の基台への取付けの際は、かかる六角孔２８に、対応する形状とされた六角レンチが挿入されて、締付ボルト１６が回転させられることによって、基台に設けられた取付け孔に対して螺入せしめられることとなる。
【００２５】
このように、２つのクランプ半体１２ａ，１２ｂをゴム弾性体１４にて連結して構成されるクランプ部材１２と、締付ボルト１６とが組み合わされて、構成されたクランプ装置１０は、図５に示されるように、締付ボルト１６の脚部２４が、基台３０に設けられた取付孔３２等に螺入せしめられることによって、締付ボルト１６のテーパ嵌合面２６にて、それぞれのクランプ半体１２ａ，１２ｂのテーパ受け面２０，２０が押圧されて、クランプ半体１２ａ，１２ｂを基台３０に押し付けると共に、側方（図において左右方向）への押圧力が発生して、クランプ半体１２ａ，１２ｂが離間せしめられるようになる。こうして、クランプ半体１２ａ，１２ｂが拡開されることによって、図６に示されるように、基台３０に取り付けられた支持部材３４とクランプ部材１２（図６においてはクランプ半体１２ｂ）との間において、ワーク（被加工物）３６が、保持されるのである。
【００２６】
このように、本発明に従うクランプ装置１０にあっては、ゴム弾性体１４にて連結されたクランプ半体１２ａ，１２ｂと、締付ボルト１６のみにて、装置全体が構成されているところから、従来のクランプ装置よりも、装置全体の構造をより簡略化することが可能となると共に、クランプ装置１０の基台３０への取付けや、ワーク３６のクランプ作業が、単に、締付ボルト１６を、その頭部２２に設けられた六角孔２８に工具を差し込んで回転させて、基台３０に設けられた取付孔３２に螺入するのみで、可能となるものであるところから、クランプ作業の作業性の向上も、有利に図られ得る特徴がある。
【００２７】
さらに、クランプ部材１２（クランプ半体１２ａ，１２ｂ）の貫通孔１８に設けられたテーパ受け面２０と、締付ボルト１６の頭部２２に設けられたテーパ嵌合面２６とから構成されるテーパ嵌合機構によって、締付ボルト１６によって得られるクランプ部材１２を基台３０へと押圧する力を、締付ボルト１６の軸方向に働く力と、径方向に働く力とに、それぞれ効果的に分散せしめることが可能となる。その結果、クランプ半体１２ａ，１２ｂを、それぞれ、側方へと移動させて、それらクランプ半体１２ａ，１２ｂとの間隙を拡開させる動作をした際にも、クランプ部材１２のワーク３６への押圧する力と、クランプ部材１２の基台３０への拘束する力とを、共に有利に確保することが出来ることとなり、クランプしているワーク３６の加工の際に、ワーク３６に上向きの力が加わった場合にあっても、ワーク３６の浮き上がりを防止することが可能となる。
【００２８】
そして、そのような二つのクランプ半体１２ａ，１２ｂの対向する辺部の間隙の全体を埋めるようにして、ゴム弾性体１４が固着され、クランプ半体１２ａ，１２ｂ同士が弾性的に連結せしめられているところから、クランプ半体１２ａ，１２ｂとが拡開された際にも、クランプ半体１２ａ，１２ｂの間に隙間が生じることが無くなり、従来のクランプ装置にて発生していた、ワーク３６の切削加工等によって発生する切削屑等の異物が、かかる隙間に入り込むといった問題が、効果的に解消されることとなる。そして、その結果、ワーク３６の保持を解除するためのクランプ半体１２ａ，１２ｂの接近動作が、そのような異物の侵入によって阻害されることがないため、以て、確実に、ワーク３６の保持、解除動作を行なうことが出来るのである。
【００２９】
また、このようにクランプ半体１２ａ，１２ｂの拡開の際にゴム弾性体１４が延びて、クランプ半体１２ａ，１２ｂの連結を保つようにされているところから、ワーク３６のクランプが解除された際にも、ワーク３６に対して押圧されていたクランプ部材１２が、かかるゴム弾性体１４の復元力によって、ワーク３６から離脱せしめられることとなるために、クランプ作業の作業性が、有利に向上させられ得ることとなる。
【００３０】
なお、本実施の形態においては、比較的柔らかい材質である黄銅にて、クランプ部材１２が形成されているところから、ワーク（被加工物）をクランプした際に、ワークを傷つけ難いといった効果も発揮されることとなる。さらに、そのような比較的柔らかい材質にて形成されたクランプ部材１２を、クランプ部材１２が接触せしめられるワーク外面の形状に合わせて容易に加工することが可能であるところから、作業現場にて、クランプ部材１２を、クランプするワーク形状に合った形状に加工して、より確実にワークを保持することが可能となるのである。
【００３１】
また、本発明に従うクランプ装置の別の望ましい態様の一つとして、図７（ａ）〜（ｃ）に示される如きクランプ装置５０を挙げることが出来る。そこでは、クランプ装置５０は、クランプ半体１２ａ，１２ｂと締付ボルト４０との間において、リング状の皿ワッシャ３８が、締付ボルト４０の頭部４２に遊挿されて、構成されている。
【００３２】
そこにおいて、クランプ半体１２ａ，１２ｂは、前記した実施形態と同様に、その対向する辺部の間隙の全体を埋めるように、ゴム弾性体１４が固着されて、弾性的に連結されている。また、皿ワッシャ３８は、図８に示されるように、外形が円形の平板形状を呈し、その外周面が、一方の側（図において下側）に向かうに従って縮径された、テーパ嵌合面４４とされていると共に、その厚さ方向に貫通する貫通孔４６が円形の中心を通るように設けられて、形成されているのである。なお、貫通孔４６は、その途中で、大径部４６ａから小径部４６ｂとなる、段付孔（ザグリ孔）とされている。
【００３３】
そして、このような貫通孔４６は、図９に示される如く、円柱状の頭部４２が、大径部４２ａと小径部４２ｂとされた締付ボルト４０が挿入された際に、かかる皿ワッシャ３８の貫通孔４６と締付ボルト４０の頭部４２との間に、径方向に適当な大きさの隙間が生じるように、頭部４２よりも僅かに大きな径とされているのである。なお、締付ボルト４０は、前述した実施の形態に示した締付ボルト１６と同様に、その脚部２４には、取り付けられる基台の取付孔に螺入せしめられる雄ネジが外周面に形成されると共に、頭部４２には、かかる締付ボルト４０を回転せしめるための工具が挿入される六角孔２８が、形成されている。
【００３４】
このようにして構成されたクランプ装置５０は、図１０に示すように、締付ボルト４０の脚部２４が、基台３０に設けられた取付孔３２に螺入せしめられることによって、締付ボルト４０に遊挿された皿ワッシャ３８が基台３０に向かって押圧せしめられて、かかる皿ワッシャ３８に設けられたテーパ嵌合面４４にて、両側のクランプ半体１２ａ，１２ｂのテーパ受け面２０，２０が、それぞれ押圧されることとなる。そして、そのようなテーパ嵌合機構によって締付ボルト４０の軸方向と径方向にそれぞれ分散せしめられた押圧力が、クランプ半体１２ａ，１２ｂを基台３０に押し付けると共に、クランプ半体１２ａ，１２ｂを側方（図において左右方向）へと拡開し、クランプ半体１２ａ，１２ｂが互いに離間せしめられることとなる。こうして、クランプ半体１２ａ，１２ｂが拡開することによって、基台３０に取り付けられた支持部材３４，３４とクランプ半体１２ａ，１２ｂとの間において、ワーク３６，３６が、それぞれ保持されることとなる。
【００３５】
従って、かかるクランプ装置５０を用いて、その両側にワーク３６を保持せしめた場合にあっては、前述したクランプ装置１０と同様の各種の効果を発揮すると共に、クランプ装置５０の両側にクランプされるワーク３６の大きさ（幅）のばらつきによって、クランプ装置５０の中心位置、つまり、締付ボルト４０の中心軸から、両側それぞれのワーク３６までの距離に差が生じた場合においても、締付ボルト４０と皿ワッシャ３８との間に設けられた径方向の隙間によって、そのような距離の差を吸収して、両側のクランプ半体１２ａ，１２ｂと皿ワッシャ３８との間のテーパ嵌合が、等しく、確実に行なわれ得るようにされているところから、クランプ半体１２ａ，１２ｂからワーク３６，３６それぞれへの保持力を効果的に生ぜしめることが可能となると共に、クランプ半体１２ａ，１２ｂの基台３０への拘束力も、効果的に発揮せしめられるのである。
【００３６】
以上、本発明の代表的な実施の形態について説明してきたが、本発明は、そのような実施形態のもののみに限定して解釈されるものでは決してなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【００３７】
例えば、クランプ部材１２は、本実施の形態においては、比較的柔らかい材質の黄銅製のものが用いられていたが、クランプするワークに応じて、鉄等の他の各種の金属材質を適宜選択することが可能である。また、その外形形状も、本実施の形態のように、八角形形状のみならず、矩形形状等の多角形形状や、円弧形形状等、クランプするワークに対応した形状として、クランプ装置１０を構成しても何等差支えない。
【００３８】
また、前記した実施形態では、締付ボルト１６（４０）が、基台３０に設けられた取付孔３２に螺入せしめられることによって、クランプ装置１０（５０）が、基台３０に固定されるようになっていたが、例えば、基台３０に設けられたＴ溝内に摺動可能に配置されたＴナット等に対して、締付ボルト１６（４０）を螺合せしめて、このＴナットとクランプ装置１０（５０）との間で、基台３０のＴ溝形成部位を挟持することによって、クランプ装置１０（５０）を基台３０に対して固定することも、勿論可能である。
【図面の簡単な説明】
【００３９】
【図１】本発明に従うクランプ装置の一例を示す説明図であって、（ａ）は、その正面図を、また（ｂ）は、その平面図を、それぞれ示している。
【図２】図１（ｂ）における、Ａ−Ａ断面説明図である。
【図３】図１のクランプ装置を構成するクランプ部材を示す説明図であって、（ａ）は、その平面図を、（ｂ）は、（ａ）におけるＢ−Ｂ断面図を、それぞれ示している。
【図４】図１のクランプ装置を構成する締付ボルトを示す正面説明図である。
【図５】図１のクランプ装置を基台に取り付けた状態を示す説明図であって、（ａ）は、その平面図を、（ｂ）は、（ａ）におけるＣ−Ｃ断面図を、それぞれ示している。
【図６】図１のクランプ装置を用いてワークをクランプした状況を示す断面説明図である。
【図７】本発明に従うクランプ装置の別の一例を示す説明図であって、（ａ）は、その正面図を、（ｂ）は、その平面図を、（ｃ）は、（ｂ）におけるＤ−Ｄ断面図を、それぞれ示している。
【図８】図７のクランプ装置に用いられる皿ワッシャを示す説明図であって、（ａ）は、その平面図を、（ｂ）は、（ａ）におけるＥ−Ｅ断面図を、それぞれ示している。
【図９】図７のクランプ装置を構成する締付ボルトを示す正面説明図である。
【図１０】図７のクランプ装置を用いてワークをクランプした状況を示す断面説明図である。
【符号の説明】
【００４０】
１０  クランプ装置
１２  クランプ部材
１２ａ，１２ｂ  クランプ半体
１４  ゴム弾性体
１６  締付ボルト
１８  貫通孔
２０  テーパ受け面
２２  頭部
２４  脚部
２６  テーパ嵌合面
【図１】
2006142389.tif 000003
【図２】
2006142389.tif 000004
【図３】
2006142389.tif 000005
【図４】
2006142389.tif 000006
【図５】
2006142389.tif 000007
【図６】
2006142389.tif 000008
【図７】
2006142389.tif 000009
【図８】
2006142389.tif 000010
【図９】
2006142389.tif 000011
【図１０】
2006142389.tif 000012